【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
属性情報としてセキュリティレベルが設定されたオブジェクトデータを用いて作成された文書を表示するための表示制御手段と、
前記表示制御手段により表示された文書に対して文書処理が行われる際に、当該文書処理の処理内容に応じたセキュリティレベルと、前記表示制御手段により表示された文書に含まれる第１オブジェクトデータのセキュリティレベルとの比較結果に基づき、前記表示制御手段により表示された文書に含まれる第１オブジェクトデータのセキュリティレベルが前記文書処理の処理内容に応じたセキュリティレベルより高い場合は当該第１オブジェクトとは異なる第２オブジェクトを提示する提示手段とを備えることを特徴とする情報処理装置。
【請求項２】
前記文書処理は前記表示制御手段により表示された文書の保存であり、前記処理内容に応じたセキュリティレベルとは当該文書の保存先に応じたセキュリティレベルを示すことを特徴とする請求項１に記載の情報処理装置。
【請求項３】
前記文書処理は前記表示制御手段により表示された文書の印刷であり、前記処理内容に応じたセキュリティレベルとは前記印刷に際する印刷設定に応じたセキュリティレベルを示すことを特徴とする請求項１に記載の情報処理装置。
【請求項４】
前記文書処理は前記表示制御手段により表示された文書のメール送信であり、前記処理内容に応じたセキュリティレベルとは宛先情報に応じたセキュリティレベルを示すことを特徴とする請求項１に記載の情報処理装置。
【請求項５】
前記表示制御手段により表示された文書に対しての前記文書処理の処理内容に応じたセキュリティレベルと、前記表示制御手段により表示された文書に含まれるオブジェクトデータのセキュリティレベルとの比較結果に基づき、前記表示制御手段により表示された文書に含まれるオブジェクトデータのセキュリティレベルが前記文書処理の処理内容に応じたセキュリティレベルより高い場合、当該文書処理を行うための制御を行う制御手段をさらに備え、
前記制御手段は、前記提示手段により提示された第２オブジェクトデータを第１オブジェクトデータの代わりに用いた前記表示制御手段により表示された文書に対して前記文書処理を行うよう制御することを特徴とする請求項１乃至請求項４の何れか１項に記載の情報処理装置。
【請求項６】
前記提示手段は、前記表示制御手段により表示された文書に対しての前記文書処理の処理内容に応じたセキュリティレベルと、前記表示制御手段により表示された文書に含まれる第１オブジェクトデータのセキュリティレベルとの比較結果に基づき、前記表示制御手段により表示された文書に含まれる第１オブジェクトデータのセキュリティレベルが前記文書処理の処理内容に応じたセキュリティレベルより高い場合は、前記第１オブジェクトデータを含む文書に対して当該文書処理を行うことを可能とする第３オブジェクトデータを提示し、
前記制御手段は、前記提示手段により提示された第３オブジェクトデータが更に含まれた前記表示制御手段により表示された前記第１オブジェクトデータが含まれる文書に対して前記文書処理を行うよう制御することを特徴とする請求項５に記載の情報処理装置。
【請求項７】
属性情報としてセキュリティレベルが設定されたオブジェクトデータを用いて作成された文書を表示するための表示制御手段と、
前記表示制御手段により表示された文書に対して文書処理が行われる際に、当該文書処理の第１処理内容に応じたセキュリティレベルと、前記表示制御手段により表示された文書に含まれるオブジェクトデータのセキュリティレベルとの比較結果に基づき、前記表示制御手段により表示された文書に含まれるオブジェクトデータのセキュリティレベルが前記文書処理の第１処理内容に応じたセキュリティレベルより高い場合は当該第１処理内容とは異なる第２処理内容を提示する提示手段とを備えることを特徴とする情報処理装置。
【請求項８】
属性情報としてセキュリティレベルが設定されたオブジェクトデータを用いて作成された文書を表示するための表示制御ステップと、
前記表示制御ステップにより表示された文書に対して文書処理が行われる際に、当該文書処理の処理内容に応じたセキュリティレベルと、前記表示制御ステップにより表示された文書に含まれる第１オブジェクトデータのセキュリティレベルとの比較結果に基づき、前記表示制御ステップにより表示された文書に含まれる第１オブジェクトデータのセキュリティレベルが前記文書処理の処理内容に応じたセキュリティレベルより高い場合は当該第１オブジェクトとは異なる第２オブジェクトを提示する提示ステップとを備えることを特徴とする情報処理方法。
【請求項９】
前記文書処理は前記表示制御ステップにより表示された文書の保存であり、前記処理内容に応じたセキュリティレベルとは当該文書の保存先に応じたセキュリティレベルを示すことを特徴とする請求項８に記載の情報処理方法。
【請求項１０】
前記文書処理は前記表示制御ステップにより表示された文書の印刷であり、前記処理内容に応じたセキュリティレベルとは前記印刷に際する印刷設定に応じたセキュリティレベルを示すことを特徴とする請求項８に記載の情報処理方法。
【請求項１１】
前記文書処理は前記表示制御ステップにより表示された文書のメール送信であり、前記処理内容に応じたセキュリティレベルとは宛先情報に応じたセキュリティレベルを示すことを特徴とする請求項８に記載の情報処理方法。
【請求項１２】
前記表示制御ステップにより表示された文書に対しての前記文書処理の処理内容に応じたセキュリティレベルと、前記表示制御ステップにより表示された文書に含まれるオブジェクトデータのセキュリティレベルとの比較結果に基づき、前記表示制御ステップにより表示された文書に含まれるオブジェクトデータのセキュリティレベルが前記文書処理の処理内容に応じたセキュリティレベルより高い場合、当該文書処理を行うための制御を行う制御ステップをさらに備え、
前記制御ステップは、前記提示ステップにより提示された第２オブジェクトデータを第１オブジェクトデータの代わりに用いた前記表示制御ステップにより表示された文書に対して前記文書処理を行うよう制御することを特徴とする請求項８乃至請求項１１の何れか１項に記載の情報処理方法。
【請求項１３】
前記提示ステップは、前記表示制御ステップにより表示された文書に対しての前記文書処理の処理内容に応じたセキュリティレベルと、前記表示制御ステップにより表示された文書に含まれる第１オブジェクトデータのセキュリティレベルとの比較結果に基づき、前記表示制御ステップにより表示された文書に含まれる第１オブジェクトデータのセキュリティレベルが前記文書処理の処理内容に応じたセキュリティレベルより高い場合は、前記第１オブジェクトデータを含む文書に対して当該文書処理を行うことを可能とする第３オブジェクトデータを提示し、
前記制御ステップは、前記提示ステップにより提示された第３オブジェクトデータが更に含まれた前記表示制御ステップにより表示された前記第１オブジェクトデータが含まれる文書に対して前記文書処理を行うよう制御することを特徴とする請求項１２に記載の情報処理方法。
【請求項１４】
属性情報としてセキュリティレベルが設定されたオブジェクトデータを用いて作成された文書を表示するための表示制御ステップと、
前記表示制御ステップにより表示された文書に対して文書処理が行われる際に、当該文書処理の第１処理内容に応じたセキュリティレベルと、前記表示制御ステップにより表示された文書に含まれるオブジェクトデータのセキュリティレベルとの比較結果に基づき、前記表示制御ステップにより表示された文書に含まれるオブジェクトデータのセキュリティレベルが前記文書処理の第１処理内容に応じたセキュリティレベルより高い場合は当該第１処理内容とは異なる第２処理内容を提示する提示ステップとを備えることを特徴とする情報処理方法。
【請求項１５】
請求項８〜１４のいずれか１項に記載の情報処理方法をコンピュータに実行させることを特徴とするプログラム。
【手続補正２】
【補正対象書類名】明細書
【補正対象項目名】００１３
【補正方法】変更
【補正の内容】
【００１３】
属性情報としてセキュリティレベルが設定されたオブジェクトデータを用いて作成された文書を表示するための表示制御手段と、前記表示制御手段により表示された文書に対して文書処理が行われる際に、当該文書処理の処理内容に応じたセキュリティレベルと、前記表示制御手段により表示された文書に含まれる第１オブジェクトデータのセキュリティレベルとの比較結果に基づき、前記表示制御手段により表示された文書に含まれる第１オブジェクトデータのセキュリティレベルが前記文書処理の処理内容に応じたセキュリティレベルより高い場合は当該第１オブジェクトとは異なる第２オブジェクトを提示する提示手段とを備えることを特徴とする。